(57)【要約】【課題】光学フィルムにおける熱収縮による光学フィルムの撓みやしわを防止し、観察面の品位を低下させることのないフィルム観察装置を提供する。【解決手段】光源と、光源からの光を拡散する拡散板と、拡散板を透過した光に作用する光学フィルム２５とを備えている。光学フィルム２５は、その１辺側においてのみ被固定部材２６に固定されており他の辺は被固定部材２６に固定されていない。光学フィルム２５は複数枚が重ねられて設けられ、各々の光学フィルム２５の固定部２７が重ならないよう配置されている。【選択図】      図６
2006163282.tif 000002
【特許請求の範囲】
【請求項１】
被観察フィルムを観察するためのフィルム観察装置において、光源と、光源からの光を拡散する拡散板と、当該拡散板を透過した光に作用する光学フィルムと、を備え、前記光学フィルムは、その１辺側においてのみ被固定部材に固定されて他の辺は当該被固定部材に固定されていないことを特徴とするフィルム観察装置。
【請求項２】
前記光学フィルムは複数枚が重ねられて設けられ、各々の光学フィルムの固定部が重ならないよう配置されている請求項１に記載のフィルム観察装置。
【請求項３】
前記光学フィルムは複数枚が重ねられて設けられ、下層の光学フィルムの固定部と上層の光学フィルムとが重ならないよう、かつ、下層の光学フィルムと上層の光学フィルムの固定部とが重ならないよう、相互の光学フィルムは面方向に位置ずれして設けられている請求項１に記載のフィルム観察装置。
【請求項４】
前記光学フィルムは複数枚が重ねられて設けられ、下層の光学フィルムの固定部と上層の光学フィルムの固定部とは、前記被観察フィルムを観察するために発光させる観察領域となる矩形の領域の異なる辺に沿って夫々設けられている請求項１〜３のいずれかに記載のフィルム観察装置。
【請求項５】
前記光学フィルムを覆う観察面部材が設けられている請求項１〜４のいずれかに記載のフィルム観察装置。
【請求項６】
前記観察面部材に、前記被観察フィルムを観察するために発光させる観察領域と、この観察領域以外が発光しないように前記光源からの光が遮光された非観察領域とが形成され、前記光学フィルムの固定部は、前記非観察領域に対応する範囲内に設けられている請求項５に記載のフィルム観察装置。
【発明の詳細な説明】
【技術分野】
【０００１】
この発明は、Ｘ線写真フィルムやマンモグラフィ等の被観察フィルムを観察するためのフィルム観察装置に関するものである。
【背景技術】
【０００２】
フィルム観察装置は、観察対象である被観察フィルムの背後から光を照射して、フィルム上の像を観察するためのものである。
例えば、特許文献１には、拡散板の上に集光用の光学フィルムを配置して輝度を高めた発光装置が記載されており、この発光装置は、Ｘ線写真フィルムを観察するためのシャウカステンにも用いることができるとされている。
【特許文献１】特開２００４−６１３９号公報（図１）
【発明の開示】
【発明が解決しようとする課題】
【０００３】
特許文献１に記載されている発光装置は、２枚の光学フィルムを有しているが、これらの固定手段については具体的に開示されていない。
また、一般的な発光装置において、ケーシング内に光源が収容され、拡散板がケーシングの開口部を施蓋しており、光源が点灯している状態で拡散板が温められ、拡散板上の光学フィルムが熱により膨張することが考えられる。また、光源を消灯すると光学フィルムは収縮する。従って、矩形とされた光学フィルムが４辺の全辺において拡散板に固定されている場合、光学フィルムの熱収縮により光学フィルムに撓みやしわ、浮き上がりが発生し、観察面の品位を低下させてしまうおそれがある。
【０００４】
この発明は、前記問題点に鑑みてなされたものであり、光学フィルムにおける熱収縮による光学フィルムの撓みやしわを防止し、観察面の品位を低下させることのないフィルム観察装置を提供することを目的とする。
【課題を解決するための手段】
【０００５】
前記目的を達成するためのこの発明は、被観察フィルムを観察するためのフィルム観察装置において、光源と、光源からの光を拡散する拡散板と、当該拡散板を透過した光に作用する光学フィルムとを備え、前記光学フィルムは、その１辺側においてのみ被固定部材に固定されて他の辺は当該被固定部材に固定されていないことを特徴としている。
このような構成のフィルム観察装置によれば、光学フィルムを１辺側においてのみ固定して他の辺を固定せずフリーにすることで、光学フィルムはその面方向に自由に伸縮でき、光学フィルムの熱による膨張・収縮にともなう撓みやしわを防止できる。
【０００６】
また、前記光学フィルムは複数枚が重ねられて設けられ、各々の光学フィルムの固定部が重ならないよう配置されているのが好ましい。光学フィルムが被固定部材に対して例えば両面粘着テープや接着剤等の面状となる固定材により固定され、固定部（粘着部、接着部）が形成される場合、固定材自身の厚さにより、光学フィルムにおいて固定部を有する部分がその他の部分よりも厚くなる。しかしこの構成によれば、各光学フィルムの固定部を相互重ねないようするため、固定部を有する部分において複数枚の光学フィルムからなる光学フィルム層の全厚さを極端に厚くすることがない。
【０００７】
また、前記光学フィルムは複数枚が重ねられて設けられ、下層の光学フィルムの固定部と上層の光学フィルムとが重ならないよう、かつ、下層の光学フィルムと上層の光学フィルムの固定部とが重ならないよう、相互の光学フィルムは面方向に位置ずれして設けられているのが好ましい。
光学フィルムが被固定部材に対して例えば両面粘着テープや接着剤等の面状となる固定材により固定され、固定部が形成される場合、固定材自身の厚さにより、光学フィルムにおいて固定部を有する部分がその他の部分よりも厚くなる。しかしこの構成によれば、光学フィルムの固定部には別の光学フィルムが重ねられないため、固定部を有する部分において光学フィルム層の厚さを厚くすることがない。
この場合の光学フィルム層の最大厚さは、光学フィルムの厚さとその光学フィルムに設けられた固定部の厚さとの和、若しくは、固定部以外における複数枚の光学フィルムの厚さの和のいずれか大きい方の厚さとなり、薄くできる。
さらに、光学フィルム層において部分的に厚い箇所が生じるのを防ぐことができる。つまり、固定部において特に厚さを大きくさせないため、光学フィルム層全面において、総厚さが不均等になるのを抑えることができる。
【０００８】
また、前記光学フィルムは複数枚が重ねられて設けられ、下層の光学フィルムの固定部と上層の光学フィルムの固定部とは、前記被観察フィルムを観察するために発光させる観察領域となる矩形の領域の異なる辺に沿って夫々設けられているのが好ましい。
この構成によれば、光学フィルムが被固定部材に対して例えば両面粘着テープや接着剤等の面状となる固定材により固定され、固定部が形成される場合、その固定部が観察領域となる矩形の領域の異なる辺に沿って夫々設けられているため、固定部同士が重なることがない。従って、固定部の領域において光学フィルム層の厚さを厚くすることがない。
【０００９】
また、前記光学フィルムを覆う観察面部材が設けられているのが好ましい。この構成によれば、観察面部材により光学フィルムを保護することができ、被観察フィルムの着脱を行っても光学フィルムの損傷を防止できる。
【００１０】
また、前記観察面部材に、前記被観察フィルムを観察するために発光させる観察領域と、この観察領域以外が発光しないように前記光源からの光が遮光された非観察領域とが形成され、前記光学フィルムの固定部は、前記非観察領域に対応する範囲内に設けられているのが好ましい。この構成によれば、固定部が観察面部材に形成された被観察領域により隠されるため、きれいなフィルム観察装置を得ることができる。
【発明の効果】
【００１１】
本発明のフィルム観察装置によれば、光学フィルムの熱収縮による撓みやしわを防止でき、観察面の品位を低下させることがない。また、複数枚の光学フィルムからなる光学フィルム層において部分的に厚い箇所が生じるのを防ぐことができるため、光学フィルム層の全面において総厚さの不均等を抑えることが可能となる。従って、拡散板及び光学フィルム等により積層状とされた正面パネル構造体において、部分的な膨れや隙間を防止することができ、発光品位を向上させることができる。
【発明を実施するための最良の形態】
【００１２】
以下、この発明の実施の形態について添付図面を参照しながら説明する。
図１は、本発明に係るフィルム観察装置の実施の一形態を示す正面図であり、図２はフィルム観察装置から後述する正面パネル構造体５を取り外した状態の正面図である。このフィルム観察装置は、光源２や点灯装置１２等が内部に設けられたケーシング３を備えている。ケーシング３は、矩形状の背面部３ａと、背面部３ａの各辺から正面側へ立設された側面部３ｂとを有しており、正面側が矩形状に開口している。そして、ケーシング３の側面部３ｂの正面側に、正面側の前記開口を塞ぐように、正面パネル構造体５が取り付けられている。正面パネル構造５が設けられているフィルム観察装置の正面部は、その一部領域がＸ線写真フィルムやマンモグラフィ等の被観察フィルムを観察するための観察領域（フィルム観察面）Ａ１となっている。観察領域Ａ１は光源２からの光によって発光し、この観察領域Ａ１に被観察フィルムを置くことで、被観察フィルムをクリアに観察することができる。
【００１３】
図３はフィルム観察装置の側面図であり、ケーシング３の下部には支持脚部６が設けられており、フィルム観察装置正面側が医師等のフィルム観察者と対向するようにフィルム観察装置を卓上等で縦置き状に自立させている。この支持脚部６は、縦置きしたフィルム観察装置の下部左右両側に取り付けられており、正面側と背面側に延びる延設部６ａ，６ｂを備えて、フィルム観察装置を卓上で安定して立てることができる。
【００１４】
図２に示すように、ケーシング３内部には、複数の線状光源２ａからなる光源２を備えた光源装置（ランプキット）８が設けられている。線状光源２ａは冷陰極管ランプとすることができる。光源装置８は、複数の線状光源２ａをこれらの長手方向両端で保持するとともに、光源２の背後に位置して光源２からの光を正面側へ反射する反射板９を有している。そして、この光源装置８全体をケーシング３（の背面部３ａ）に対して着脱できるように、光源装置８はケーシング３に対してネジ等で取り付けられている。したがって、光源２が劣化した場合には、光源装置８ごと交換すればよく、線状光源２ａを一本ずつ交換する場合に比べて、交換作業が容易になっている。
また、矩形状反射板９の４辺には、光源２の光が、ケーシング３内部の光源装置８以外の領域に漏れるのを防止して、かつ光を有効活用するための側面部１０，１１が設けられている。４つの側面部１０，１０，１１，１１のうち、線状光源２ａの長手方向両端に位置する側面部１０，１０は、線状光源２ａの保持部も兼ねており、線状光源２ａと平行な側面部１１，１１は、光の反射面となっている。
【００１５】
光源装置８は、ケーシング３の内部全体に位置しているのではなく、縦置き状態のケーシング３内部の上方側に偏って位置している。これにより、ケーシング３内部の下方範囲に、光源２の点灯装置（インバータ装置）１２や電源装置１３等の回路を配置するためのスペースが確保されている。比較的重量の大きい電源装置１３等をケーシング３下方に配置することで、縦置き状態での安定性が高まる。なお、ケーシング３の下方範囲には、光源装置８の交換方法を説明した説明ラベル１４が貼り付けられている。
【００１６】
前記正面パネル構造体５は、光源２からの光を拡散する拡散板２１を備えている。正面パネル構造体５は、ケーシング３の正面開口部を覆うようにケーシング３に取り付けられる。
拡散板２１は矩形状に形成されている。また拡散板２１はアクリル又はガラス製の乳半板が用いられており、光源２のランプイメージを緩和している。また、拡散板２１は、ケーシング３の正面開口部全体を覆うことができる大きさを有している。つまり、拡散板２１の輪郭形状とケーシング３の輪郭形状とは同一とされている。
【００１７】
さらに、この正面パネル構造体５には遮光膜（遮光層）２０が設けられている。遮光膜２０は、図１に示すように、被観察フィルムを観察するために発光させる観察領域Ａ１以外の領域が発光しないように遮光された非観察領域Ａ２を形成している。具体的に説明すると、遮光膜２０は光源２からの光を遮断するよう有色不透明の遮光面を面状の部材に対して印刷により形成している。この印刷された領域が非観察領域Ａ２となる。つまり、遮光膜２０（非観察領域Ａ２）は、面状の部材に対して、観察領域Ａ１となる光通過面を除く範囲に黒色のベタ印刷を施すことにより形成される。なお、本発明の印刷とは、一般的に知られているインクによる印刷の他、塗料による塗装を含む。
また、着色された着色膜となる遮光膜２０は印刷の他に金属の蒸着によることもでき、金属膜により着色膜を形成してもよい。
【００１８】
そして、正面パネル構造体５において遮光膜２０を設ける位置、つまり印刷を施す面状の部材について説明すると、図４の正面パネル構造体５の断面図に示すように、正面パネル構造体５は、前記拡散板２１の正面側（発光面側）に設けられた観察面部材２４（以下、観察面パネル２４という）を有している。観察面パネル２４は被観察フィルムが表面２４ａに置かれる透明な平板部材であり、拡散板２１と同じ大きさ、同じ輪郭形状とされている。そして、遮光膜２０は、図４に示すように、この観察面パネル２４と拡散板２１との間に配置されている。
さらに具体的に説明すると、図４に示すように遮光膜２０は観察面パネル２４の光源２側となる裏面２４ｂに形成されている。つまり、裏面２４ｂに印刷が施されており、観察面パネル２４に、被観察フィルムを観察するために発光させる観察領域Ａ１と、この観察領域Ａ１以外が発光しないように光源２からの光が遮光された非観察領域Ａ２とが形成されているといえる。
【００１９】
観察面パネル２４は、アクリル、ポリカーボネート、ポリエチレンテレフタレート、ポリメタクリル酸メチル樹脂、シクロオレフィンポリマ等の樹脂製やガラス等の無機材料とすることができ、透明板からなっている。また、被観察フィルムが置かれる表面２４ａが表面硬化処理（ハードコート処理）されている。そして、このパネル２４が正面パネル構造体５の最表面側（最も正面側）の部材（フロントパネル）となっている。
そして、観察面パネル２４の裏面２４ｂにおいて図１に示す破線のクロスハッチで示す範囲に印刷が施され、その範囲が非観察領域Ａ２となる。また、観察面パネル２４の裏面２４ｂで印刷されていない領域は光が通過（透過）して発光することができ、その領域が観察領域Ａ１となる。
【００２０】
被観察フィルムを観察するための観察領域Ａ１は、光源装置８にほぼ対応した領域（図１に示すように観察領域Ａ１が光源装置８よりもやや小さい）に位置するように、観察面パネル２４の上側寄りに位置されている。そして、観察領域Ａ１の左右両側と下方側とに非観察領域Ａ２が位置している。
【００２１】
また、図４に示すように、正面パネル構造体５は光学フィルム２５を有している。光学フィルム２５は拡散板２１と観察面パネル２４との間に配置され、拡散板２１を透過した光に作用する。光学フィルム２５は、光をフィルム観察装置の正面方向へ集光させて輝度を上昇させる集光特性を有するものであるのが好ましい。これにより正面方向への輝度が上昇し、高い輝度が要求される場合において光源数を増やす等の対策をとらなくても輝度を上昇させることができる。また、観察領域Ａ１（フィルム観察面）からの光が無指向性であると、フィルム観察装置の正面にいるフィルム観察者以外に、フィルム観察装置の近くにいる他者に対しても光が照射され、そのような他者に対して不必要に眩しさを感じさせてしまう。特に、高輝度化した場合には眩しさが重要な問題となる。
しかし、上記のように光がフィルム観察装置正面方向への指向性を持つと、フィルム観察者以外の他者が感じる眩しさが低減される。また、フィルム観察者にとっても、正面方向からある程度離れることで、簡単に眩しさから逃れることができるため、眩しさによる目の疲れを防止できる。
【００２２】
そして、光学フィルム２５は、複数枚が重ねられて設けられており、例えば、拡散フィルム２２とプリズムフィルム２３との２枚から構成することができる。
拡散フィルム２２は、拡散板２１の発光側である表面に配置されており、拡散板２１を透過した光の輝度の均一化を更に図ることができ、また正面輝度の上昇も図ることができる。プリズムフィルム２３は、プリズム突条が線状光源２ａと平行となるように向けられて、拡散フィルム２２の正面側に重ねて配置されている。プリズムフィルム２３は、プリズム面を正面側に向けて配置されており、正面方向へ集光して正面輝度を上昇させることができる。そして、観察面パネル２４により光学フィルム２５を覆って保護している。
【００２３】
図５は、光学フィルム２５の被固定部材２６への固定を説明する正面図である。被固定部材２６について図４に示した正面パネル構造体５により説明すると、被固定部材２６は拡散板２１となり、光学フィルム２５が固定される被固定面は拡散板２１の正面側となる表面である。
そして、この矩形の光学フィルム２５は、その１辺側においてのみ被固定部材２６に固定されており、他の辺は被固定部材２６に固定されていない。従って、光学フィルム２５は固定部２７を有する辺以外の他の辺により位置拘束されないため、図５に示すように、光学フィルム２５が矢印ｅ、矢印ｆのように熱により面方向に膨張・収縮等自在に変形することができる。固定部２７は光学フィルム２５の１辺側の縁部に設けられている。なお、光学フィルム２５は矩形とされているが、光学フィルム２５の形状は図示しないが、角部が丸くされたものや、部分的に切り欠き部を有するもの、部分的に突出片部を有するものを含む。
【００２４】
光学フィルム２５の被固定部材２６への固定手段は、光学フィルム２５を貫通するように、つまり正面パネル構造体５を貫通するようにネジ止めすることもできるが、光学フィルム２５を例えば両面粘着テープや接着剤等の面状となる固定材により固定させ、固定部（粘着部、接着部）２７を形成するのが好ましい。これにより、正面パネル構造体５を簡単にかつ薄く構成させることができる。
【００２５】
さらに、図４と図６と図７に示すように、光学フィルム２５は複数枚が重ねられて設けられている。そして、各々の光学フィルム２５の固定部２７が重ならないよう配置されている。具体的には、光学フィルム２５が下層の拡散フィルム２２と上層のプリズムフィルム２３とを有している場合、拡散フィルム２２の固定部２７ａと、プリズムフィルム２３の固定部２７ｂとが、面内方向において重ならないよう拡散フィルム２２とプリズムフィルム２３とは配置されている。そして、この場合において、拡散フィルム２２に対する被固定部材２６は拡散板２１であり、プリズムフィルム２３に対する被固定部材２６も拡散板２１であり、拡散板２１の表面が両者の被固定面とされている。
【００２６】
さらに、複数枚の光学フィルム２５からなる光学フィルム層の固定構造について説明すると、下層の光学フィルム２５の固定部２７と上層の光学フィルム２５とが重ならないようされており、かつ、下層の光学フィルム２５と上層の光学フィルム２５の固定部２７とが重ならないようされている。つまり、拡散フィルム２２の固定部２７ａとされた縁部とプリズムフィルム２３の非固定部（自由端部）２８ｂとされた縁部とは上下重ならず、かつ、プリズムフィルム２３の固定部２７ｂとされた縁部と拡散フィルム２２の非固定部（自由端部）２８ａとされた縁部とが重ならないよう、拡散フィルム２２とプリズムフィルム２３とは面方向に位置ずれして設けられている。
そして、正面パネル構造体５が複数枚の光学フィルム２５を有していても、これら光学フィルム２５に対する被固定部材２６は、共通化されて同一部材（拡散板２１）とされ、これら光学フィルムを固定させる被固定面はこの部材の同一の表面とされている。
【００２７】
さらに、図７に示すように、下層の光学フィルム２５の固定部２７と上層の光学フィルム２５の固定部２７とが、被観察フィルムを観察するために発光させる観察領域Ａ１となる矩形の領域（二点鎖線にて示す範囲）の異なる辺に沿って夫々設けられている。つまり、拡散フィルム２２の直線状に形成された固定部２７ａが、観察領域Ａ１となる矩形の領域（二点鎖線にて示す範囲）の１辺側（図７の左辺側）に沿って配置されており、プリズムフィルム２３の直線状に形成された固定部２７ｂが、前記１辺側と観察領域Ａ１となる矩形の領域を挟んだ反対側の他辺側（図７の右辺側）に沿って配置されている。
【００２８】
そして、図８は拡散板２１の上に光学フィルム２５とスペーサシート３０とが設けられた状態を示す正面パネル構造体５の分解図であり、図８に示すように、光学フィルム２５の固定部２７は観察領域Ａ１となる矩形の領域（二点鎖線にて示す範囲）の辺に沿って設けられているが、その領域よりも面方向外方に配置されており、光学フィルム２５の固定部２７は、非観察領域Ａ２に対応する範囲内に設けられている。つまり、固定部２７は観察面パネル２４に形成されて光源２からの光りを通さない非観察領域Ａ２により隠されている。
【００２９】
光学フィルム２５は観察面パネル２４よりも小さくされ、観察領域Ａ１に対応した位置に、観察領域Ａ１よりもやや大に形成されている。また、光学フィルム２５の位置と大きさは、光源装置８の位置と大きさにも対応している。
さらに、光学フィルム２５は、スペーサシート（以下、単に「スペーサ」ともいう）３０とともに、拡散板２１と観察面パネル２４との間に挟まれている。スペーサ３０は、拡散板２１又は観察面パネル２４と外周輪郭形状が同一形状とされ、光学フィルム２５の周囲に配置される矩形環状の部材である。
【００３０】
スペーサシート３０は非観察領域Ａ２となる領域に対応する位置に設けられ、スペーサシート３０は光学フィルム２５と共に拡散板２１と観察面パネル２４との間に挟まれる。従って、スペーサシート３０は非観察領域Ａ２により隠される。
このスペーサシート３０は、光学フィルム２５の厚さとほぼ同一の厚みを有している。具体的には、光学フィルム２５の厚さ（複数枚の光学フィルム２５の合計厚さ）をｔとするとスペーサシート３０の厚さｔ２は、ｔ≦ｔ２≦（ｔ＋０．３）ｍｍの範囲に設定するのが好ましい。つまり、スペーサシートの厚さｔ２が光学フィルム２５の厚さｔよりも小さいと光学フィルム２５に厚み方向の遊びを持たせることができず、また、スペーサシート３０の厚さｔ２が光学フィルム２５の合計厚さｔよりも０．３ｍｍを超えて大きくなると、隙間が生じて光学フィルム２５に撓みを発生させるおそれがある。また、スペーサシート３０により、光学フィルム２５の位置決めを行うことができる。さらに、拡散板２１と観察面パネル２４との間の隙間がスペーサシート３０で塞がれているため、正面パネル構造体５内部に粉塵等が侵入するのを防止できる。
【００３１】
また、正面パネル構造体５の組み立てについて説明すると、拡散板２１の表面に光学フィルム２５とスペーサシート３０とを所定の位置にて重ねる（図８の左側の図）。そして、この上に遮光膜２０が形成された観察面パネル２４を重ねる。なお、拡散板２１とスペーサシート３０との固定、拡散板２１と光学フィルム２５との固定、スペーサシート３０と観察面パネル２４との固定は、夫々、両面粘着テープや接着剤による接着とすることができる。そして、図８の左側の図において、一点鎖線で示す部位が固定部であって接着剤や両面粘着テープ等の固定材の位置を示しており、二点鎖線で示す範囲が観察面パネル２４に形成された観察領域Ａ１に対応する領域を示す。
【００３２】
そして、非観察領域Ａ２となる領域に対応する面に両面粘着テープや接着剤等の面状となる固定材を付すれば、遮光膜２０により、その両面粘着テープや接着剤を隠すことができる。さらにスペーサシート３０が透明でない材料であっても、スペーサシート３０を遮光膜２０により隠すことができる。
このように正面パネル構造体５における各部材間の固定を両面粘着テープや接着剤等の面状の固定材によれば、観察面パネル２４の表面２４ａ全面を突出部のない平滑な平面とすることができる。つまり、図示しないがボルトにより各部材を連結して正面パネル構造体５を構成させた場合、観察面パネル２４の表面２４ａにボルトの頭部が突出するが、両面粘着テープ又は接着剤によれば、突出部を無くすることができる。
なお、観察面パネル２４の厚さは限定されないが、例えば、１ｍｍ〜３ｍｍとしたり、８０μｍ〜１２０μｍと薄くすることができる。なお、薄くした場合は、観察面パネル２４が撓むのを防止するために、観察面パネル２４を光源２側の部材（拡散板２１又はスペーサシート３０）に、全周に沿って連続的又は全周に沿って間欠的に貼り付けて固定するのが好ましい。
【００３３】
そして、観察面パネル２４は、正面からフィルム観察装置を見て、当該観察面パネル２４の面内領域が観察領域Ａ１と非観察領域Ａ２とから成るよう構成されている。つまり、観察面パネル２４は観察領域Ａ１よりも面積が大きくされている。そして、被観察フィルムが置かれる観察面パネル２４の表面２４ａは平滑な平面により形成されている。つまり、観察面パネル２４は、被観察フィルムを置くためだけの面を構成させるだけではなく、内側の拡散板２１、光学フィルム２５、スペーサシート３０を保護し、さらには、観察領域Ａ１と非観察領域Ａ２とを裏面２４ｂにおいて遮光膜２０（印刷）の有無により区画し、かつ、化粧板としての役割も果たしている。従って、観察領域Ａ１の周囲に従来では額縁状に位置させる必要があった別部材のフレームが本発明では不要となり、正面開口を有するケーシング３に正面パネル構造体５を取り付けるだけで、観察領域Ａ１の周囲に額縁状の枠範囲（非観察領域Ａ２）が形成され、点灯装置１２等のケーシング３内部の部材を隠蔽することができる。これによりフィルム観察装置の構造を簡素化でき、部品点数を低減でき、低コストにてフィルム観察装置を作製することができる。
【００３４】
観察面パネル２４は、ケーシング３の正面開口全体を塞ぐことができるように大きく形成されているが、比較的高価な光学フィルム２５は、観察領域Ａ１に対応する大きさに小さく形成されており、光源装置８から照射され観察領域Ａ１を発光させるための光に光学的作用を与えるための最低限必要な大きさに抑えられている。
【００３５】
また、図１と図３に示すように、縦置き状態のフィルム観察装置の上部には、フィルム固定具（クリップ部材）１９が設けられている。フィルム固定具１９は、下方に開口したフィルム差込口１９ａを有しており、この差込口１９ａから被観察フィルムを挿し込むと、フィルム固定具１９の内側面と正面パネル構造体５の表面とによって、被観察フィルムを挟持することができる。
【００３６】
そして、本発明のフィルム観察装置は、図示する形態に限らずこの発明の範囲内において他の形態のものであっても良い。遮光膜２０を印刷や金属蒸着とする場合は、観察面パネル２４に対して直接印刷や蒸着を施しても（着色しても）よいが、薄いフィルムに着色した着色済みフィルムを遮光膜２０とし、この着色済みフィルムを観察面パネル２４や拡散板２１に設けても良い（貼り付けてもよい）。
【図面の簡単な説明】
【００３７】
【図１】本発明に係るフィルム観察装置の実施の一形態を示す正面図である。
【図２】正面パネル構造体を取り外した状態のフィルム観察装置を示す正面図である。
【図３】フィルム観察装置の側面図である。
【図４】正面パネル構造体の断面図である。
【図５】光学フィルムの固定を説明する正面図である。
【図６】光学フィルムの固定を説明する斜視図である。
【図７】複数枚の光学フィルムが固定された状態の正面図である。
【図８】正面パネル構造体の組立図である。
【符号の説明】
【００３８】
２  光源
２１  拡散板
２４  観察面部材
２５  光学フィルム
２６  被固定部材
２７  固定部
Ａ１  観察領域
Ａ２  非観察領域
【図１】
2006163282.tif 000003
【図２】
2006163282.tif 000004
【図３】
2006163282.tif 000005
【図４】
2006163282.tif 000006
【図５】
2006163282.tif 000007
【図６】
2006163282.tif 000008
【図７】
2006163282.tif 000009
【図８】
2006163282.tif 000010